(57)【要約】【課題】衣類などに設けられている左右のストラップを確実に肩の定位置に保持しておくことができ、かつ安価に実施可能なストラップホルダを提供する。【解決手段】本発明に係るストラップホルダ１ａは、衣類などに設けられている左右のストラップｓ間に張り渡される帯体２を備え、この帯体２の左右の端部には、各ストラップｓに巻き付けて締着する締着具６が取り付けられている。【選択図】  図１
2004346460.tif 000002
【特許請求の範囲】
【請求項１】
衣類などに設けられている左右のストラップ間に張り渡される帯体を備え、この帯体の左右の端部には、前記ストラップに巻き付けて締着する締着具が取り付けられていることを特徴とするストラップホルダ。
【請求項２】
前記帯体は伸縮性素材からなることを特徴とする請求項１記載のストラップホルダ。
【請求項３】
前記帯体は、左右一対のバンド部材を有するとともに、両バンド部材の突き合わせ端部同士が互いに着脱可能に設けられてなることを特徴とする請求項１または請求項２に記載のストラップホルダ。
【請求項４】
前記一対のバンド部材からなる帯体は、両バンド部材の突き合わせ端部側で、帯体の長さを調整可能に設けられてなる請求項１〜３の何れかに記載のストラップホルダ。
【請求項５】
単一の帯体からなり、該帯体の両端部に前記ストラップを巻き付けるための折り返し部が設けられ、該折り返し部の折り返し長さを調整可能とすると共に、折り返し長さを調整した位置で該折り返し部は帯体に係止可能に設けられてなる請求項１又は２に記載のストラップホルダ。
【発明の詳細な説明】
【０００１】
【発明の属する技術分野】
本発明は、衣類などに設けられているストラップ（肩紐）が肩からずれるのを防止するためのストラップホルダに関する。
【０００２】
【従来の技術】
衣類、たとえばスリップやブラジャーなどの下着類には、本体部分が身体からずり落ちたりしないように、本体部分を支えるための肩掛け用のストラップを取り付けたものがある。
【０００３】
【発明が解決しようとする課題】
ところが、このようなストラップを設けた衣類を身につける場合、特に女性ではいわゆる撫で肩の人も多いので、自然にストラップが肩から外れてしまうことがある。また、各種のスポーツを行っている場合においても、身体の動きが激しいときには、ストラップが肩から外れてしまうこともある。そして、このようにストラップが肩から外れると、ストラップ本来の機能を発揮しなくなる。さらに、一方のストラップが肩から外れるとその反対側のトラップが上着の首筋からはみ出すなどして見苦しくなることもある。
【０００４】
ストラップが肩から外れるのずれを防ぐためには、たとえば下着類の上に着用する上着の方にストラップを固定する止め具を取り付けておくことが考えられる。しかし、多種多様な上着の全てにこのような止め具を予め取り付けておくのは余分な手間とコストとを強いることになり、また、上着の種類によってはこのような止め具を取り付るのに適さないものがあるため、得策ではない。
【０００５】
本発明は、上記の問題点を解決するためになされたもので、衣類などに設けられている左右のストラップを確実に肩の定位置に保持しておくことができ、かつ、比較的安価に実施することができるストラップホルダを提供することを目的とする。
【０００６】
【課題を解決するための手段】
本発明は、上記の目的を達成するために、次の構成を採用している。すなわち、請求項１に記載の発明に係るストラップホルダは、衣類などに設けられている左右のストラップ間に張り渡される帯体を備え、この帯体の左右の端部には、前記各ストラップに巻き付けて締着する締着具が取り付けられていることを特徴としている。
【０００７】
これにより、衣類などに設けられている左右のストラップ間にストラップホルダが張着される結果、左右のストラップが肩の定位置に位置決めされる。このため、ストラップが不意に肩から外れて下着類の本体部分がずり下がったり、ずり落ちるなどの不具合を確実に防ぐことができる。
【０００８】
請求項２に記載の発明に係るストラップホルダは、請求項１記載の構成において、前記帯体は伸縮性素材からなることを特徴としている。
【０００９】
これにより、人の肩幅が区々異なる場合にもこれに応じて帯体が伸縮するため、肩幅の大きさに影響されずに確実にストラップホルダを装着することができる。
【００１０】
請求項３に記載の発明に係るストラップホルダは、請求項１または請求項２に記載の発明の構成において、前記帯体は左右一対のバンド部材を有するとともに、両バンド部材の突き合わせ端部同士が互いに着脱可能に設けられてなることを特徴としている。
【００１１】
これにより、ストラップホルダを装着した衣類を着替える必要が生じたような場合は、左右の締着具を個別にストラップから取り外さなくてもバンド部材同士を左右に分離するだけで済むため、脱衣を容易に行うことができる。
【００１２】
請求項４に記載の発明に係るストラップホルダは、請求項１〜３の何れかに記載の発明の構成において、前記一対のバンド部材からなる帯体は、両バンド部材の突き合わせ端部側で、帯体の長さを調整可能に設けられてなることを特徴とする。
【００１３】
請求項４に係る発明によれば、請求項３に係る発明からもたらされる作用効果と共に、使用者のストラップ間の肩幅に合わせて帯体の長さを自在に調整することができるから、使用者の肩幅の広狭にかかわらず、ストラップをフイットするよう装着することができる。
【００１４】
請求項５に記載の発明に係るストラップホルダは、請求項１又は２に記載の発明の構成において、単一の帯体からなり、該帯体の両端部に前記ストラップを巻き付けるための折り返し部が設けられ、該折り返し部の折り返し長さを調整可能とすると共に、折り返し長さを調整した位置で該折り返し部は帯体に係止可能に設けられてなることを特徴とするものである。
【００１５】
請求項５に記載の発明に係るストラップホルダによれば、帯体の両端部の折り返し部にストラップを巻き付けた状態で、該折り返し部の折り返し長さを使用者の肩幅に合わせて自在に調整することができ、使用勝手がよい。
【００１６】
【発明の実施の形態】
以下、本発明の実施の形態について、図面を参照して詳しく説明する。
［実施の形態１］
図１は本発明の実施の形態１におけるストラップホルダの全体構成を示す斜視図、図２はこのストラップホルダの使用状況の説明図である。
【００１７】
この実施の形態１におけるストラップホルダ１ａは、スリップやブラジャーなどの衣類に設けられている左右のストラップ間に張り渡される帯体２を備える。この帯体２は、ゴムバンドなどの伸縮性素材からなる左右一対のバンド部材３，４を有する。
【００１８】
上記の各バンド部材３，４は、その突き合わせ端部がそれぞれ折り返した後に縫い合わされてループ部３ａ，４ｂが形成されている。そして、一方のバンド部材３のループ部３ａには、他方のバンド部材４のループ部４ａを係止する連結具としてのフック部材５が取り付けられている。この場合のフック部材５は、硬質樹脂製のもので、リング部５ａと鉤部５ｂとが一体形成されてなり、リング部５ａの穴にループ部３ａが挿通されている。
【００１９】
また、各々のバンド部材３，４の他方端部には、衣類のストラップに巻き付けて締着するための締着具として、いわゆるマジックテープ（登録商標）のごとき面ファスナ６が縫い付けられている。この場合の面ファスナ６はフック面形成材６ａとループ面形成材６ｂとからなり、両者６ａ，６ｂは各バンド部材３，４の端部を各ループ部３ａ，４ａ側に向けて折り返した際に対向するように所定位置に取り付けられている。
【００２０】
上記構成を有するストラップホルダ１ａを使用する場合には、一方のバンド部材３のループ部３ａに取り付けられているフック部材５の鉤部５ｂを、他方のバンド部材４のループ部４ａに差し込んで係止する。これにより両バンド部材３，４が一体的に連結される。その後、図２に示すように、各々のバンド部材３，４の他端部をスリップやブラジャーなどの下着類のストラップｓに巻き付けて面ファスナー６で締着する。
【００２１】
これにより、衣類の左右のストラップｓにストラップホルダ１ａが張り渡される結果、左右のストラップｓが肩の定位置に位置決めされる。このため、撫で肩の人の場合でも、また、スポーツで身体を激しく動かすような場合でも、ストラップｓが不意に肩から外れて下着類の本体部分がずり下がったり、ずり落ちるなどの不具合を確実に防ぐことができる。
【００２２】
また、ストラップホルダ１ａの使用時において衣類を着替えたりする必要が生じたような場合には、フック部材５の鉤部５ｂと他方のバンド部材４のループ部４ａとの係合を解除するだけでバンド部材３，４を左右に分離できるので、左右の面ファスナー６をそれぞれストラップｓから個々に取り外すといった手間を省くことができる。そのため、脱衣が容易になる。
【００２３】
［実施の形態２］
図３はこの実施の形態２におけるストラップホルダの全体構成を示す斜視図である。
【００２４】
この実施の形態２のストラップホルダ１ｂは、左右一対のバンド部材３，４を有し、両バンド部材３，４の突き合わせ端部がバックル９にそれぞれ差し込まれることにより一体的に連結されている。
【００２５】
また、各々のバンド部材３，４の他方端部には、衣類のストラップｓに巻き付けて締着するための締着具１０として補助布１１とボタン１２とが取り付けられている。補助布１１は二重折りにされ、その中央間の屈曲部分が各々のバンド部材３，４の端部に縫い付けられている。また、ボタン１２は、雄形片１２ａとこの雄形片１２ａが挿着される雌形片１２ｂとからなり、補助布１１の折り返により生じる対向面の一方側に雄形片１２ａが、他方側には雌形片１２ｂがそれぞれ取り付けられている。
【００２６】
このような補助布１１とボタン１２とで締着具１０を構成する場合には、各バンド部材３，４をストラップｓに巻き付けた際、その巻き付け部分は面ファスナを使用する場合より一層薄くなる。そのため、ストラップホルダ１ｂを使用していることが外部から目立たなくなるので都合がよい。
【００２７】
この実施の形態２におけるストラップホルダ１ｂにおいても、各々のバンド部材３，４の端部をスリップやブラジャーなどの下着類のストラップｓに巻き付けてからボタン１２で締着することができる。また、この実施の形態２の場合には、ストラップホルダ１ｂを使用する人の肩幅の大きさに応じて各バンド部材３，４をバックル９の部分でスライドさせて長さを自由に調整することができる。
【００２８】
なお、この実施の形態２においても、肩幅の違いに応じて自由に適合できるように各バンド部材３，４は伸縮性素材からできていることが好ましいが、バックル９の部分で長さ調整ができるので伸縮性のない布帯などを使用することも可能である。
【００２９】
その他の構成および作用効果は実施の形態１の場合と同様であるから、ここでは詳しい説明は省略する。
【００３０】
上記の実施の形態１，２について、次のような応用例や変形例を考えることができる。
（１）上記の実施の形態１，２では、左右のバンド部材３，４を連結する連結具としてフック部材５やバックル９を使用しているが、これに限らず、たとえば、図４に示すような構成の連結具１４を使用することもできる。すなわち、この連結具１４は、雄側部材１５と雌側部材１６とを備え、各部材１５，１６のリング部１５ａ，１６ａがバンド部材３，４のループ部３ａ，４ａに挿通されている。そして、雌側部材１６の円筒部１６ｂ内に雄側部材１５の円柱部１５ｃを差し込んだ後、雄側部材１５を回動させてそのアーム部１５ｂを雌側部材１６の切欠部１６ｃに嵌め込むことで両部材１５，１６が一体連結されるようになっている。
【００３１】
さらに、左右のバンド部材３，４を連結する連結具としては、いわゆる差し込みバックルなどを使用することも可能である。
（２）上記の各実施の形態１，２では、帯体２を左右のバンド部材３，４で構成しているが、図５に示すように、左右のバンド部材３，４に分離せずに伸縮可能な単一の帯体２で構成することも可能である。
（３）更に、図６に示すように、左右のバンド部材３，４の突き合わせ端部の一方のループ部３ａにリング部５ａと鉤部５ｂとからなるフック部５が取り付けられると共に、他方のループ部４ａ側ではバンド部４の折り返し長さを多く取って、長手方向に複数のループ部４ｂ，４ｃを設け、フック部５の鉤部５ｂをループ部４ａ〜４ｃの何れかに係合することによって一対のバンド部材３，４からなる帯体２の長さを自在に調整して、図２に示すように左右のストラップｓ，ｓ間の肩幅に合わせて該ストラップｓ，ｓが使用者の体にフイットするよう装着することができる。
（４）更にまた、図７に示すように、伸縮可能な単一の帯体２の左右両端ループ部２ａ，２ｂにリング部１７ａと鉤部１７ｂとからなるフック部１７Ａ，１７Ｂが取り付けられると共に、帯体２の両端部寄り長手方向にループ部２ｃ，２ｄ，２ｅ，２ｆが設けられ、左右両端部のフック部１７Ａ，１７Ｂを帯体２側に折り返してフック部１７Ａをループ２ｃ又は２ｄに、フック部１７Ｂをループ部２ｅ又は２ｆに係合することによって、帯体２の両端部とその折り返し部１８Ａ，１８Ｂ間にストラップｓ，ｓを巻き付け、ストラップｓ，ｓ間の肩幅に合わせて帯体２の長さを調整して該ストラップｓ，ｓが使用者の体にフイットするよう装着することができる。
（５）また、ここでは女性用下着など衣類のストラップｓの肩ずれを防ぐために使用した場合について説明したが、これに限らず、ズボンを吊り下げるサスペンダのストラップ部分を止める場合にも本発明のストラップホルダを適用することができる。
（６）その他の点においても上記の実施の形態１，２や変形例に限定されるものではなく、本発明の趣旨を逸脱しない範囲内において種々の応用や変形を加えることが可能である。
【００３２】
【発明の効果】
請求項１記載の発明に係るストラップホルダは、ストラップ間に張り渡すことで、左右のストラップを肩の定位置に位置決めすることができる。このため、撫で肩の人であっても、スポーツなどで身体を激しく動かすような場合でも、ストラップが不意に肩から外れて下着類の本体部分がずり下がったり、ずり落ちたりするなどの不具合を確実に防ぐことができる。
【００３３】
請求項２記載の発明に係るストラップホルダは、帯体が伸縮性素材からできているので、人の肩幅が区々異なる場合にもこれに応じて帯体が伸縮する。そのため、肩幅の大きさに影響されずに確実にストラップホルダを装着することができる。
【００３４】
請求項３記載の発明に係るストラップホルダは、左右一対のバンド部材の突き合わせ端部同士が互いに着脱可能に設けられているので、ストラップホルダを装着した後に衣類を着替える必要が生じたような場合には、左右の締着具を個別にストラップから取り外さなくてもバンド部材同士を左右に分離するだけ済み、脱衣を容易に行うことができる。
【００３５】
請求項４に係る発明によれば、請求項３に係る発明からもたらされる作用効果と共に、使用者のストラップ間の肩幅に合わせて帯体の長さを自在に調整することができるから、使用者の肩幅の広狭にかかわらず、ストラップをフイットするよう装着することができる。
【００３６】
請求項５に記載の発明に係るストラップホルダによれば、帯体の両端部の折り返し部にストラップを巻き付けた状態で、該折り返し部の折り返し長さを使用者の肩幅に合わせて自在に調整することができ、使用勝手がよい。
【図面の簡単な説明】
【図１】本発明の実施の形態１におけるストラップホルダの全体構成を示す斜視図である。
【図２】このストラップホルダの使用状況の説明図である。
【図３】本発明の実施の形態２におけるストラップホルダの全体構成を示す斜視図である。
【図４】本発明のストラップホルダの変形例を示す斜視図である。
【図５】本発明のさらに他のストラップホルダの変形例を示す斜視図である。
【図６】本発明のさらに他のストラップホルダの変形例を示す斜視図である。
【図７】本発明のさらに他のストラップホルダの変形例を示す斜視図である。
【符号の説明】
ｓ    ストラップ
１ａ，１ｂ    ストラップホルダ
２    帯体
３，４    バンド部材
５    フック部材（連結具）
６    面ファスナ（締着具）
９    バックル（連結具）
１０    締着具
１４    連結具
【図１】
2004346460.tif 000003
【図２】
2004346460.tif 000004
【図３】
2004346460.tif 000005
【図４】
2004346460.tif 000006
【図５】
2004346460.tif 000007
【図６】
2004346460.tif 000008
【図７】
2004346460.tif 000009